(57)【要約】【課題】基板ボックスの側壁面に形成されたフラットケーブルの導出口から異物を挿入してプリント基板上に装着されたＲＯＭを交換する不正がなされる場合があった。【解決手段】収容されるプリント基板４０上に装着されたコネクタ４２，４２に結線されたフラットケーブル５０，５０は、基板ボックス１０の長手方向の側壁に形成される導出口３２，３２を介して外部へ導出されるが、同時に金属製上ケース３０の内側に配設された遮蔽板６２の先端が上記コネクタ４２，４２とＲＯＭ４４とを仕切るように上記プリント基板４０の上面に密着するため、同ＲＯＭ４４は上記導出口３２，３２を介した外部から遮蔽され、同導出口３２，３２から異物を挿入することができず、上記ＲＯＭ４４を取り外すことはできなくなる。【選択図】図２
2011139962.tif 000002
【特許請求の範囲】
【請求項１】
配線ケーブルの導出口を備え、同導出口付近に上記配線ケーブルを結線するためのコネクタを備えつつ同コネクタよりも奥方に制御プログラムを記録したＲＯＭを装着した基板を収容する基板ボックスであって、上記コネクタ装着部位よりも内側に上記導出口に対して内外を遮蔽する遮蔽壁を具備することを特徴とする基板ボックス。
【発明の詳細な説明】
【技術分野】
【０００１】
本発明は、基板ボックスに関し、特に、装着後に交換等の不正を防止すべきＲＯＭを収容する基板ボックスに関する。
【背景技術】
【０００２】
パチンコ機等の遊技機において、基板ボックスは制御プログラムを記録したＲＯＭやコネクタ等を実装した基板を収容し、ＲＯＭを交換する等の不正を防止するために封印されている。このとき、一端で同コネクタに接続された配線ケーブルの他端を外部へ導出するために同基板ボックスに導出口が形成されている。
【発明の概要】
【発明が解決しようとする課題】
【０００３】
上述した従来の基板ボックスにおいては、上記導出口から異物を挿入して上記基板上に装着されたＲＯＭを交換する不正がなされる場合があった。
【０００４】
本発明は、上記課題をかんがみてなされたもので、上記導出口から異物を挿入して上記基板上に装着されたＲＯＭが交換できないようにすることが可能な基板ボックスの提供を目的とする。
【課題を解決するための手段】
【０００５】
上記目的を達成するため、請求項１にかかる発明は、配線ケーブルの導出口を備え、同導出口付近に上記配線ケーブルを結線するためのコネクタを備えつつ同コネクタよりも奥方に制御プログラムを記録したＲＯＭを装着した基板を収容する基板ボックスであって、上記コネクタ装着部位よりも内側に上記導出口に対して内外を遮蔽する遮蔽壁を具備する構成としてある。
【０００６】
かかる構成からなる本発明によれば、上記導出口付近で基板上に装着するコネクタに結線された配線ケーブルは同導出口から導出されるが、同基板の奥方に備えられた上記ＲＯＭは上記遮蔽壁により同導出口を介した外部と遮蔽される。このとき、少なくとも上記遮蔽壁は上記コネクタに接続された配線ケーブルを上記導出口から外部に導出できても、上記ＲＯＭを同導出口を介した外部と遮蔽する構造であれば良い。つまり、上記ＲＯＭを同導出口から異物を挿入する等して取り外すことのできない構成であれば良い。従って、上記遮蔽壁は、上記基板ボックスに収容される基板上に装着するものであっても、上記基板ボックスに配設するものであっても構わない。
例えば、上記基板ボックスが金属製で窓部を有しており、この窓部を内側から遮蔽するための樹脂製の透明板を備えているような場合には、上記基板上に装着されるコネクタとＲＯＭとを仕切るように、同透明板にて遮蔽壁を形成すれば良いし、同基板ボックスが樹脂製であれば同素材で同様の遮蔽壁を配設しても良い。また、収容された基板上に装着されるＲＯＭとコネクタとの間を仕切る形状の遮蔽部材をあらかじめ同基板上に装着しても良い。さらに、このようなコネクタ以外の部分を遮蔽するようにする形状としても良い。
【発明の効果】
【０００７】
以上説明したように本発明は、基板ボックスに収容されている基板上に装着されたＲＯＭを導出口から異物を挿入して交換する不正を防止することの可能な基板ボックスを提供することができる。
【図面の簡単な説明】
【０００８】
【図１】本発明の一実施形態にかかる基板ボックスの分解斜視図である。
【図２】同基板ボックスの透視斜視図である。
【図３】変形例にかかる遮蔽壁を示す斜視図である。
【図４】同遮蔽壁を装着した基板ボックスの透視斜視図である。
【図５】他の変形例にかかる遮蔽壁を装着した基板ボックスの透視斜視図である。
【図６】同遮蔽壁を示す斜視図である。
【発明を実施するための形態】
【０００９】
以下、図面にもとづいて本発明の実施形態を説明する。図１は本発明の一実施形態にかかる基板ボックスを分解斜視図により示し、図２は同基板ボックスを透視斜視図により示している。
【００１０】
同図において、基板ボックス１０は、ともに上面を開口した薄箱形に形成されて合体可能な金属製下ケース２０と金属製上ケース３０とから構成されており、プリント基板４０を収容可能となっている。また、金属製上ケース３０における長手方向の側壁端部には一対の凹部３０ａ，３０ａを形成してあるため、両金属製下ケース２０と金属製上ケース３０の開口面を対面させて合体したときに、合わせ面に導出口３２，３２が形成され、プリント基板４０に接続された二本のフラットケーブル５０，５０を外部に導出可能となっている。
【００１１】
金属製下ケース２０と金属製上ケース３０における一方の側壁には係止構造を形成してある。この係止構造は、金属製上ケース３０の側壁から帯板片を延設しつつ先端を内側方向への断面クランク形に屈曲した係止片３４，３４，３４と、金属製下ケース２０の側壁に形成されて上記係止片３４，３４，３４の先端を挿入可能なスリット２２，２２，２２とから構成され、同係止片３４，３４，３４の先端の屈曲部分がスリット２２，２２，２２を貫通することにより、金属製下ケース２０と金属製上ケース３０とは少なくとも上下方向に離反不能となり、合体状態となる。
【００１２】
一方、金属製下ケース２０の底壁の四隅にはステー状の雌ネジ２４が植設されており、下端を雄ネジに形成するとともに上端には雌ネジを形成した取り付けステー２６を螺合可能となっている。すなわち、雌ネジ２４上にプリント基板４０を載置した状態で、この取り付けステー２６を雌ネジ２４に螺合させることにより、間に挟まれたプリント基板４０をネジ止め固定する。また、取り付けステー２６の上端には雌ネジが形成されているため、上述したようにして金属製下ケース２０に対して金属製上ケース３０を係合させた後、同金属製上ケース３０をネジ止め可能となっている。なお、同金属製下ケース２０の両短手方向の側壁と一方の長手方向の側壁の端部に金属製上ケース３０の側壁内側へ回り込むようにガイド壁２８，２８，２８を形成してあり、突き合わせ部分で二重に重なって隙間を生じにくくしている。
【００１３】
プリント基板４０は、基板ボックス１０内に収容可能な矩形形状に形成され、上記導出口３２，３２に近い側の縁部表面にはフラットケーブル５０，５０を結線可能な一組のコネクタ４２，４２を装着するとともに、同コネクタ４２，４２と反対側の縁部表面には制御プログラムを記録したＲＯＭ４４を装着している。従って、プリント基板４０を当該基板ボックス１０内に収容した状態でコネクタ４２，４２に上記フラットケーブル５０，５０を結線せしめ、同フラットケーブル５０，５０を外部へ導出せしめて図示しない外部機器と接続可能となっている。
【００１４】
本実施形態においては、このような金属製下ケース２０と金属製上ケース３０とを互いに対面せしめて合体するようにしているが、内部にプリント基板４０を収容しつつ導出口３２，３２を介してフラットケーブル５０，５０のような配線ケーブルを導出可能なものであればよい。従って、一方を筺体としつつ他方を蓋体として形成することもできる。また、必ずしも金属製である必要もなく、樹脂にて形成することもできる。
【００１５】
金属製上ケース３０の天面中央には内部を視認するための窓枠３１を打ち抜き形成してあり、当該金属製上ケース３０の内側から透明の樹脂材６０を装着して同窓枠３１を塞いでいる。また、同樹脂材６０における内側面であって基板ボックス１０合体時に上記プリント基板４０のコネクタ４２，４２装着位置よりも上記ＲＯＭ４４側に対面する位置には、遮蔽壁６２を形成してある。この遮蔽壁６２は図２に示すように金属製上ケース３０の内面天井面からプリント基板４０表面に達する長さであるとともに、基板ボックス１０内を長手方向に縦断するように形成されており、この意味でコネクタ４２，４２装着部位よりも内側であって導出口３２，３２に対して基板ボックス１０内外を遮蔽しているといえる。
【００１６】
ここで、必ずしも基板ボックス１０は金属製である必要がないことから、同基板ボックス１０が樹脂製であるときには上記遮蔽板６２を一体的に形成することも可能である。また、上記遮蔽板６２は、必ずしも基板ボックス１０を構成するケーシングの側に形成する必要はなく、例えば、図３に示すように、板状の部材をコの字型に成形した遮蔽部材７０を上記ＲＯＭ４４とコネクタ４２，４２との間を仕切るように装着しても良い。この場合、遮蔽部材７０の折り曲げ部分の底面には一対の固定ピン７０ａ，７０ａを形成するとともに、プリント基板４０の上面にはピン溝４０ａ，４０ａを設けておき、同固定ピン７０ａ，７０ａを同ピン溝４０ａ，４０ａに位置合わせして遮蔽部材７０をプリント基板４０上に装着する。また、遮蔽部材７０の高さはプリント基板４０の表面から金属製上ケース３０の天井面までの高さにしておくと、同プリント基板４０を基板ボックス１０に収容したときに同遮蔽部材７０の頂面が金属製上ケース３０の天井面に密着するため、遮蔽部材７０を所定位置に固定できるとともに、同基板ボックス１０の合体後、図４に示すように、上記ＲＯＭ４４は上記遮蔽部材７０により導出口３２，３２を介した外部から遮蔽されることとなり、同導出口３２，３２から異物を挿入して同ＲＯＭ４４を取り外すことはできなくなる。なお、遮蔽部材７０の両側端面が金属製上ケース３０の内側側壁に密着するように形成しておくと、遮断する効果が向上する。この例では、当該遮蔽材７０はコネクタ４２，４２以外の部分を遮蔽することになる。
【００１７】
さらに、図５に示すように、パンチングメタルにて上記基板ボックス１０よりも一回り小さくしてその内側面に接する程度の遮蔽枠８０を形成しても良い。この遮蔽枠８０にはコネクタ４２，４２の装着位置に対応して凹部８０ａを形成しておき、金属製下ケース２０上にプリント基板４０を装着した後、金属製上ケース３０との間に挟み込む。すると、上記ＲＯＭ４４とコネクタ４２，４２との間を凹部８０ａで仕切ることができるとともに、同ＲＯＭ４４は上記導出口３２，３２を介した外部から遮断されることとなる。このとき、遮蔽枠８０は、必ずしも上述したようにパンチングメタルで構成する必要はないが、通気口を備えることによって基板ボックス１０内からの放熱が可能となる。むろん、その素材は金属板に限る必要はなく、樹脂板にて形成することも可能である。なお、図６に遮蔽枠８０を単体で示している。
【００１８】
次に、上記構成からなる本実施形態の動作を説明する。金属製下ケース２０の内部四隅に備えられたステー状の雌ネジ２４上にプリント基板４０を載置し、これを貫通させるようにして取り付けステー２６の雄ネジを雌ネジ２４に対して螺合させる。すると、取り付けステー２６の胴部部分でプリント基板４０を雌ネジ２４に対して締め付け固定できる。この後、フラットケーブル５０，５０は金属製下ケース２０の側壁を乗り越えて外側に導出され、金属製上ケース３０を上方より被覆する。このとき、一対のフラットケーブル５０，５０を係止片３４，３４，３４の間に通し、各係止片３４，３４，３４の先端を金属製下ケース２０の側壁に形成したスリット２２，２２，２２に対して外側から挿入すると、同フラットケーブル５０，５０は金属製上ケース３０の凹部３０ａ，３０ａに入り込み、導出口３２，３２より外部に導出されることになる。また、クランク状の屈曲部分がスリット２２，２２，２２を貫通するようにして金属製上ケース３０を金属製下ケース２０の側に被せていくと、同金属製下ケース２０の側壁端部から延設されるガイド壁２８，２８，２８が金属製上ケース３０の側壁の内側に入り込み、突き合わせ部分に隙間を生じることなく金属製上ケース３０と金属製下ケース２０とを合体固定する。
【００１９】
上述した一連の動作と並行して、上記基板ボックス１０内では、金属製上ケース３０の内側に装着された樹脂材６０の遮蔽板６２の先端が上記プリント基板４０の上面に密着する。このとき、遮蔽板６２は上記コネクタ４２，４２とＲＯＭ４４とを仕切る位置に形成されているので、同ＲＯＭ４４を上記導出口３２，３２を介した外部から遮蔽する。このように、収容されるプリント基板４０上に装着されたコネクタ４２，４２に結線された配線ケーブル５０，５０は、基板ボックス１０の長手方向の側壁に形成される導出口３２，３２を介して外部へ導出されるが、同時に金属製上ケース３０の内側に配設された遮蔽板６２の先端が上記コネクタ４２，４２とＲＯＭ４４とを仕切るように上記プリント基板４０の上面に密着するため、同ＲＯＭ４４は上記導出口３２，３２を介した外部から遮蔽され、同導出口３２，３２から異物を挿入することができず、上記ＲＯＭ４４を取り外すことはできなくなる。
【符号の説明】
【００２０】
１０…基板ボックス
２０…金属製下ケース
２２…スリット
２４…雌ネジ
２６…取り付けステー
２８…ガイド壁
３０…金属製上ケース
３０ａ…凹部
３２…導出口
３４…係止片
４０…プリント基板
４０ａ…ピン溝
４２…コネクタ
４４…ＲＯＭ
５０…フラットケーブル
６０…樹脂材
６２…遮蔽板
７０…遮蔽部材
７０ａ…固定ピン
８０…遮蔽枠
８０ａ…凹部
【図１】
2011139962.tif 000003
【図２】
2011139962.tif 000004
【図３】
2011139962.tif 000005
【図４】
2011139962.tif 000006
【図５】
2011139962.tif 000007
【図６】
2011139962.tif 000008